(57)【要約】【課題】使用者が横になっている状態から起き上がって歩き出そうとする時に、うまく踏み出して歩くことができるようにして、転倒を防止できる靴下を提供する。【解決手段】靴下１は、使用者の足Ｄの指を収容する足指覆い部２と、足底とかかとを覆う足底及びかかと覆い部３と、足甲を覆う足甲覆い部４と、足首を覆う足首覆い部５とを一体に有し足の圧迫を行う靴下であって、足指覆い部２には、足の裏側であって、足の指の付け根部位に沿った領域２Ｓに、くぼみ部分１５０が設けられている。【選択図】図１
2015052181.tif 000002
【特許請求の範囲】
【請求項１】
使用者の足の指を収容する足指覆い部と、足底とかかとを覆う足底及びかかと覆い部と、足甲を覆う足甲覆い部と、足首を覆う足首覆い部とを一体に有し前記足の圧迫を行う靴下であって、
前記足指覆い部には、前記足の裏側であって、前記足の指の付け根部位に沿った領域に、足本体の長さ方向に関して足裏側の伸縮力を弱めるための伸縮力調整部が設けられていることを特徴とする靴下。
【請求項２】
前記足底及びかかと覆い部の長さと前記足甲覆い部の長さは、タック編みでつまんで調整されていることを特徴とする請求項１に記載の靴下。
【請求項３】
使用者の足の指を収容する足指覆い部と、足底とかかとを覆う足底及びかかと覆い部と、足甲を覆う足甲覆い部と、足首を覆う足首覆い部とを一体に有し前記足の圧迫を行う靴下であって、
前記足指覆い部には、前記足の裏側であって、前記足の指の付け根部位に沿った領域に、穴が設けられていることを特徴とする靴下。
【請求項４】
前記足指覆い部には、前記足の指の上側の部位に面する部分に、くぼみ部分が設けられていることを特徴とする請求項３に記載の靴下。
【請求項５】
前記穴を形成する周囲部分には、補強部分が形成されていることを特徴とする請求項３または４に記載の靴下。
【発明の詳細な説明】
【技術分野】
【０００１】
本発明は、特に病院等のベッド廻りで高齢者や身体の不自由な人のような使用者の転倒を防止する靴下に関する。
【背景技術】
【０００２】
高齢者等の使用者が履く靴下に類したものとしては、例えば高齢者が外反母趾の矯正をする目的で使用する外反母趾矯正用具が、特許文献１に提案されている。この外反母趾矯正用具は、親指を収容する外反母趾袋部と、他の指を収容する大袋部を有し、高齢者がこの外反母趾矯正用具を履くことにより、外反母趾矯正用具が苦痛等を与えることなく外反母趾を矯正して、外反母趾に起因する転倒の危険性を防止するようになっている。
【先行技術文献】
【特許文献】
【０００３】
【特許文献１】特開２００９−２７９３９９号公報
【発明の概要】
【発明が解決しようとする課題】
【０００４】
ところで、高齢者や身体の不自由な人等の使用者が、例えば病院等のベッドで横になったり睡眠をとっている場合には、ベッドに設けられた板状の規制部材を用いて使用者の足裏を支えることで、つま先が下がらないようにしている。
しかし、この使用者が、病院等のベッドに寝ていた状態から起き上がり立ち上がって歩き出そうとする場合に、使用者の足のつま先が下がってしまっていると、使用者はうまく踏み出して歩き出すことができずに転倒するおそれがあり、骨折等の負傷をしてしまうことがある。
【０００５】
あるいは、使用者である妊婦や高齢者は、血流が悪いと足のむくみや血栓が生じやすいことから、むくみや血栓を防止するために、圧迫力の強い靴下を履くことで血流を改善する場合がある。
ところが、このような構成であると、運動能力が一時的に劣り、あるいは弱くなってきている、妊婦や高齢者は圧迫力の強い靴下であると、装着時に履きにくく、しかも圧迫力の強い靴下だと、脱ぎにくい。このため、妊婦や高齢者にとっては、この種の靴下を履いたり脱いだりする時の身体的な負担が大きい。
【０００６】
そこで、本発明は、以下のいずれかの目的を達成するものである。
まず、本発明は、使用者が横になっている状態から起き上がって歩き出そうとする時に、うまく踏み出して歩くことができるようにして、転倒を防止できる靴下を提供することを目的とする。
あるいは、本発明は、装着することで、自然につま先を上げるように導くによって、使用者の血流を改善しながら、使用者の転倒を予防できる靴下を提供することを目的とする。
【課題を解決するための手段】
【０００７】
本発明の靴下は、使用者の足の指を収容する足指覆い部と、足底とかかとを覆う足底及びかかと覆い部と、足甲を覆う足甲覆い部と、足首を覆う足首覆い部とを一体に有し前記足の圧迫を行う靴下であって、前記足指覆い部には、前記足の裏側であって、前記足の指の付け根部位に沿った領域に、足本体の長さ方向に関して伸縮力を弱めるための伸縮力調整部が設けられていることを特徴とする。
上記構成によれば、足指覆い部には、足の裏側であって、前記足の指の付け根部位に沿った領域に、足本体の長さ方向に関して足裏側の伸縮力を弱めるための伸縮力調整部が設けられているので、足の指の付け根部位に沿った領域は、足指覆い部の表側の部分に比べて、引っ張り力を小さくすることができ、つま先が上がり過ぎることを防止することができる。従って、使用者が横になっている状態から起き上がって歩き出そうとする時に、うまく踏み出して歩くことができるようにして、転倒を防止できる。
【０００８】
好ましくは、前記足底及びかかと覆い部の長さと前記足甲覆い部の長さは、タック編みでつまんで調整されていることを特徴とする
上記構成によれば、足底及びかかと覆い部の長さと足甲覆い部の長さの違いを調整することができる。
【０００９】
本発明の靴下は、使用者の足の指を収容する足指覆い部と、足底とかかとを覆う足底及びかかと覆い部と、足甲を覆う足甲覆い部と、足首を覆う足首覆い部とを一体に有し前記足の圧迫を行う靴下であって、前記足指覆い部には、足の裏側であって、前記足の指の付け根部位に沿った領域に、穴が設けられていることを特徴とする。
上記構成によれば、足指覆い部には、前記足の指の付け根部位に沿った領域に、穴が設けられているので、つま先を上げることで使用者の血流を改善しながら、使用者の転倒を予防できる。すなわち、足の指の付け根部位に面する部分は穴を有していることからつま先の張り力が低減できるので、妊婦や高齢者等の使用者が、つま先を上げることで血流を改善できる。このように、使用者は、つま先を上げることができるので、うまく踏み出して歩き出すことができ、使用者の転倒を予防できる。
【００１０】
好ましくは、前記足指覆い部には、前記足の指の上側の部位に面する部分に、くぼみ部分が設けられていることを特徴とする。
上記構成によれば、足の指の付け根部位に面する部分には、穴が設けられていることにより、足のつま先が強く持ち上げられてしまう場合がある。しかし、このくぼみ部分が設けられていることで指の周りに遊び部分（余裕部分）ができるので、足のつま先が強く持ち上げられてしまうことを抑制することができ、足のつま先が過度に上がり過ぎることを防止して、より歩き易くすることができる。
【００１１】
好ましくは、前記穴を形成する周囲部分には、補強部分が形成されていることを特徴とする。
上記構成によれば、足の指の付け根部位に面する部分に、穴が設けられていても、穴を形成する周囲部分には、補強部分が形成されているので、足指覆い部が穴付近で破損しにくい。
【図面の簡単な説明】
【００１２】
【図１】本発明の靴下の好ましい第１実施形態の使用状態例を示す斜視図。
【図２】図１の靴下を示す側面図。
【図３】図３（Ａ）は、図１に示す靴下の上面を示し、図３（Ｂ）は、図１に示す靴下の下面を示す図。
【図４】図１の靴下の使用状態の例を示す図。
【図５】本発明の靴下の好ましい第２実施形態の使用状態例を示す斜視図。
【図６】図５に示す靴下の側面図。
【図７】図７（Ａ）は、図５に示す靴下の上面を示し、図７（Ｂ）は、図５に示す靴下の下面を示す図。
【図８】本発明の靴下の第３実施形態の使用状態例を示す斜視図。
【図９】図８の靴下を示す側面図。
【図１０】図１０（Ａ）は、図８に示す靴下の上面を示し、図１０（Ｂ）は、図８に示す靴下の下面を示す図。
【図１１】図８の靴下の使用状態の例を示す図。
【発明を実施するための形態】
【００１３】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
（第１実施形態）
図１は、本発明の靴下の好ましい第１実施形態の使用状態例を示す斜視図であり、図１では、靴下１が使用者の足Ｄに装着された状態を示している。図２は、図１に示す靴下１の側面図である。図３（Ａ）は、図１に示す靴下１の上面を示し、図３（Ｂ）は、図１に示す靴下１の下面を示しているが、図３では、靴下１には足Ｄが挿入されていない状態を示している。
図１から図３に示すこの靴下１は、右足用を代表して示しているが、左足用の靴下は右足用の靴下１と左右対称形状であり、実質的に同じであるので、以下では、図示した右足用の靴下１を、代表して説明する。
【００１４】
図２と図３に示すように、靴下１は、例えば病院等のベッド廻りで使用することに好適な靴下であり、使用者が靴下１を使用し易いように丈の短いソックスタイプの靴下である。靴下１の使用者としては、好ましくは妊婦や高齢者あるいは身体の不自由な人である。使用者の足の血流が悪いと、足Ｄのむくみや浮腫、血栓が生じやすいことから、これらのむくみや浮腫、そして血栓を防止するために、この靴下１は、適度な圧迫力が設定されている。このように圧迫力が設定されている靴下１は、使用者の足の血流を改善することができ、しかも歩行時の転倒を防止できる構造を有する。
【００１５】
この靴下１は、装着者の足首や足そのものを締め付ける圧迫力を有してはいるが、妊婦や高齢者あるいは身体の不自由な人の使用者にとって履き易く、靴下１を脱ぎ易くしており、使用者における靴下１の装着時の身体的な負担が小さい。
図１に示すように、靴下１は、使用者の足Ｄの全体と足首を覆う編地からなる。靴下１の編地は、例えば好ましくは、表側は、５３０デニール程度の繊維径の綿製、裏側（肌側）は、１６０デニール程度の繊維径で、弾性糸として機能する、ナイロンカバーがされたポリウレタン製である。この素材は、５３０デニールを越えると伸縮性がほぼなくなり、１６０デニールより小さいと強度が低下する。
【００１６】
図１と図２に示す靴下１の素材と形状は、素肌への刺激が少ないものとなるように考慮されている。この靴下１では、先端の足指覆い部２と、下側、すなわち足裏側の足底、及びかかと等を覆う、覆い部３とを含んでいる。また、靴下１は、上側の足甲覆い部４と、足首覆い部５と、後覆い部分７とが一体的になるように編成されている。靴下１は、全体的に、少なくとも靴下に求められる伸縮性を有している。
【００１７】
図１と図２に示すように、足指覆い部２は、使用者の足先の第１足趾（親指、母趾）から第５足趾（小指）を収容する足袋状の靴下である。しかし、図１に示すように、足指覆い部２は、母趾袋部２Ａと大袋部２Ｂを有しており、母趾袋部２Ａと大袋部２Ｂは、分け目部分２Ｃにより区分されている。母趾袋部２Ａでは、その先端部２Ｇが袋状になって足の第１足趾（親指）を収容する。大袋部２Ｂでは、その先端部２Ｆが袋状になって足の第２足趾から第５足趾を収容する。
このように、足指覆い部２が母趾袋部２Ａと大袋部２Ｂに明確に区分されているので、足指覆い部２は足趾の伸展機能を有しているので歩く際のバランス感覚が向上する。また、足の第１足趾を第２足趾から第５足趾から離れた外側に向けることができ、足指覆い部２は第１足趾が第２足趾側に向くことを阻止して、外反母趾を有効に防止することができる。
【００１８】
図１と図２に示す足底及びかかと覆い部３は、足裏側の足底、及びかかと等を覆う部分である。足甲覆い部４は、使用者の足の甲部分を覆う部分である。足首覆い部５は、足Ｄを通すための履き口部開口部６を有しており、足首覆い部５は、特に柔軟な布地でなり、足首の上方を筒状にソフトに締め付けて覆う部分である。この履き口部開口部６は、使用者の足Ｄを挿入するための開口部分である。
【００１９】
まず、図１と図２と図３を参照して、靴下１の足指覆い部２について説明する。
すでに説明したように、足指覆い部２は、母趾袋部２Ａと大袋部２Ｂを有しているが、図２と図３（Ｂ）に示すように、この足指覆い部２は、足の裏側であって、足の指の付け根部位に沿った領域２Ｓに、足本体の長さ方向に関して足裏側の伸縮力（引っ張り力）を弱めるための伸縮力調整部の一例として、くぼみ部分１５０が設けられている。
このくぼみ部分１５０の形状は、靴下１の長手方向と幅方向のいずれにも伸びが可能なように、この領域だけ余分な布を編み込んで、両脇をダーツで止めた、ほぼ袋状の部分であり、例えば、足指の付け根部分であって、当該箇所の足裏の横方向に沿って長い、長円または、長楕円形状になっている。くぼみ部分１５０の長手方向は、靴下１の幅方向に沿っている。くぼみ部分１５０は、指をＲ方向に上げることができる程度の内部空間を有する。
【００２０】
図３（Ｂ）に示すこのくぼみ部分１５０の両端部１５１，１５１は、母趾袋部２Ａの端部と大袋部２Ｂの端部までそれぞれ達しており、くぼみ部分１５０の両端部１５１，１５１はやや尖った形状になっている。くぼみ部分１５０は、例えばあぜ編みにより作られており、靴下１を履くと、足の裏側であって、足の指の付け根部位に沿った領域２Ｓにおいて、外側に拡がるように袋状に余裕を持たせた形状になっていることで、足Ｄの指先の下側領域に余裕（遊び）を持たせている。
なお、好ましくは、くぼみ部分１５０の色と、足指覆い部２や足底及びかかと覆い部３の色とは、異なるようにすれば、くぼみ部分１５０が設けられていることが、使用者に明確に判るメリットがある。
【００２１】
図１と図２に示すように、足指覆い部２における足の裏側であって、足の指の付け根部位に沿った領域２Ｓには、くぼみ部分１５０が設けられているのは、次の理由からです。すなわち、このくぼみ部分１５０が設けられていることで、図１に示す足の裏側であって、足の指の付け根部位に沿った領域２Ｓの引っ張り力が低減できる。このようにすることで、足の指の上側の部位に面する部分２Ｔの引っ張り力が、足の裏側であって、足の指の付け根部位に沿った領域２Ｓの引っ張り力に比べて上回ることになる。
【００２２】
このように、足の指の上側の部位に面する部分２Ｔの引っ張り力が、足の裏側であって、足の指の付け根部位に沿った領域２Ｓの引っ張り力に比べて上回ることから、足指覆い部２は、足Ｄのつま先を、図１に示すＲ方向に持ち上げることができる。靴下１の足指覆い部２では、足Ｄのつま先をＲ方向に持ち上げてつま先を上げた状態を保持できるので、妊婦や高齢者あるいは身体の不自由な人が、例えば病院等のベッドにおいて横になっている状態から起き上がって、足を床に着けた後、うまく踏み出して歩き出すことができ、使用者は病院等のベッド廻りであっても、歩き易くなり、使用者の転倒を防止できる。
【００２３】
次に、図１と図２と図３（Ｂ）を参照して、靴下１の足底及びかかと覆い部３について説明する。
図１と図２に示すように、足底及びかかと覆い部３は、くぼみ部分１５０の後端部１５２から、後覆い部分７にかけて連続して編成されている。足底及びかかと覆い部３は、足底部分３Ａとかかと部分３Ｂを有している。足底部分３Ａは足底を覆い、かかと部分３Ｂはかかとを覆う。足指覆い部２と足底及びかかと覆い部３は、例えば厚みのある生地でソフトな感触をえられるようにされた構造であり、好ましくは、例えば、あぜ編みにより編成されている。このように、足指覆い部２とくぼみ部分１５０と足底及びかかと覆い部３が、あぜ編みにより編成されていることにより、足裏（足底）とかかとを収容して覆う際に、十分に柔軟性をもって使用者が楽にこの部分を伸ばすことができ、しかも足裏とかかとを保温することができる。
【００２４】
一方、図１と図３（Ａ）に示す靴下１の足甲覆い部４は、足指覆い部２の表端部２Ｋから足首覆い部５の間において、連続して編成されている。この足甲覆い部４は、前側部分４Ａと後側部分４Ｂを有している。前側部分４Ａは、足指覆い部２と後側部分４Ｂの間に配置され、後側部分４Ｂは、前側部分４Ａと足首覆い部５の間に配置されている。
足甲覆い部４は、足底及びかかと覆い部３と足指覆い部２のあぜ編みに比べて伸びにくく引張力が強くなるように、好ましくは、例えばタック（重ね）編みにより編成されている。すなわち、足甲覆い部４の編成部分の引張力は、足指覆い部２と足底及びかかと覆い部３の編成部分の引張力に比べて大きく（強く）なるように設定されている。これにより、足Ｄには適切な圧迫力を加えることができる。
【００２５】
このように、足甲覆い部４は、足底及びかかと覆い部３とは異なり、タック（重ね）編みにより編成されているので、使用者が足を靴下１内に収容した際に、足甲覆い部４の領域を強く引くことで、図１に示すように、足指覆い部２内の第１足趾から第５足趾を、強い力で図１に示すＲ方向（上方向）に引き上げることができる機能を有する。
【００２６】
そして、すでに説明したように、足指覆い部２における足の裏側であって、足の指の付け根部位に沿った領域２Ｓには、くぼみ部分１５０が設けられているので、足の指の上側の部位に面する部分２Ｔの引っ張り力が、足の裏側であって、足の指の付け根部位に沿った領域２Ｓの引っ張り力に比べて上回ることから、足指覆い部２は、足Ｄのつま先を、図１に示すＲ方向に持ち上げることができるようになっている。
【００２７】
以上のことから、図１から図３に示す靴下１は、使用者の第１足趾から第５足趾の先端（つま先）はＲ方向（上向き）に引き上げることができるので、使用者が横になった状態から起き上がって歩き出そうとする場合や、椅子に座った状態から立ち上がって歩き出そうとする場合に、使用者が容易に歩き出すことができるので、使用者の転倒を防止することができる。
【００２８】
また、図２と図３（Ｂ）に示すように、足底及びかかと覆い部３の長さと足甲覆い部４の前側部分４Ａの長さの差は、好ましくはタック編み部分１７０でつまんで調整されている。すなわち、足底及びかかと覆い部３の靴下１の全長方向の長さは、足甲覆い部４の前側部分４Ａの靴下１の全長方向の長さに比べて長いので、タック編み部分１７０がこれらの長さの差を調整している。これにより、足底及びかかと覆い部３の長さを確保している。
【００２９】
次に、靴下１の後覆い部分７を説明する。
図１と図３（Ｂ）に示すように、靴下１の後覆い部分７は、タック編み部分７Ａと、あぜ編み部７Ｂを有している。タック編み部分７Ａは、足甲覆い部４の後側部分４Ｂの後ろ側に連続して形成されている。あぜ編み部７Ｂは、タック編み部分７Ａの中央位置に形成されている。靴下１に足Ｄを収容する際に、靴下１は、あぜ編み部７Ｂにより、十分に伸縮性，柔軟性をもって伸ばすことができ、タック編み部７Ａは、足Ｄに対して靴下１をしっかりと装着することができる機能を有する。このため、装着後に靴下１がズレ落ちることなくしっかり固定できる。
【００３０】
次に、足首覆い部５について説明する。
図１と図３に示すように、足首覆い部５は、履き口部１１を有している。履き口部１１は、特に柔軟な布地でなり、足首の上方を筒状にソフトに締め付けて覆う部分である。履き口部１１の上部には、履き口部開口部６が形成されており、この履き口部開口部６は、使用者の足Ｄを挿入するための開口部分である。足首覆い部５は、足首の周りでしっかり足首周りを引き締めつつ、その上の部分は履き口部開口部６付近でソフトに覆い、使用者に着用中の不快な感触や負担をかけないで、かつズレ落ちることがない。
【００３１】
次に、上述した本発明の実施形態の靴下１の使用例を、図１から図４を参照して説明する。図４は、靴下１の使用状態例を示す図である。
図１に示すように、使用者は、図２に示す靴下１の履き口部１１を指で持って、図４に示す足Ｄのつま先Ｖを、靴下１の履き口部開口部６から中に入れて、靴下１をＭ方向に引き上げる。これにより、図１と図４に示すように、靴下１は、足Ｄを覆う。
このようにして、使用者は足Ｄに靴下１を履いた状態では、足指覆い部２は、足Ｄのつま先Ｖを収容することで、使用者のつま先Ｖの第１足趾（親指、母趾）から第５足趾（小指）を収容する。足底及びかかと覆い部３は、使用者の足の足底とかかとを覆う。足甲覆い部４は、使用者の足の甲部分を覆う。足首覆い部５は、足首の下側を筒状にソフトに締め付けて覆う。
【００３２】
使用者が靴下１を履くと、図１に示す指覆い部２における足の裏側であって、足の指の付け根部位に沿った領域２Ｓには、くぼみ部分１５０が設けられていることで、足の裏側であって、足の指の付け根部位に沿った領域２Ｓでは引っ張り力が低減できる。このため、足Ｄの指の上側の部位に面する部分２Ｔの引っ張り力が、足の裏側であって、足の指の付け根部位に沿った領域２Ｓの引っ張り力に比べて上回る。この状態で、図４（Ａ）に示すように、使用者ＭＮは、例えばベッドＢＤにおいて横になって過ごしたり、睡眠をとることができる。
このように、靴下１に足Ｄが挿入されている状態で、使用者が横になっていても、比較的ゆるい力で、つま先ＶをＲ方向に持ち上げた状態を維持することができ、つま先Ｖを上げた状態を保持しながらも、使用者はゆっくりくつろいだり、睡眠をとることができる。
【００３３】
これに対して、図４（Ｂ）に示すように、使用者が横になった状態から起き上がりスムーズに立ち上がって、歩き出そうとする場合には、使用者は靴下１によりつま先ＶをＲ方向に持ち上げた状態であるので、使用者は、つま先Ｖを地面に力を加えながら歩くことが可能になり、転倒を防止することができる。このように、足Ｄの指の上側の部位に面する部分２Ｔの引っ張り力が、足の裏側であって、足の指の付け根部位に沿った領域２Ｓの引っ張り力に比べて上回ることから、足指覆い部２は、足Ｄのつま先Ｖを、Ｒ方向に持ち上げることができる。
これにより、靴下１はつま先Ｖを図１と図４に示すＲ方向に持ち上げて、しかもこの持ち上げた状態を保持できるので、妊婦や高齢者あるいは体の不自由な人は歩き出し易くなり、使用者の転倒を防止できる。また、使用者がくつ下１を履くことにより、締め付け効果により足の血流が改善できる。
【００３４】
（第２実施形態）
次に、本発明の靴下の第２実施形態を説明する。
図５は、本発明の靴下の好ましい第２実施形態の使用状態例を示す斜視図であり、図１では、靴下１Ａが使用者の足Ｄに装着された状態を示している。図６は、図５に示す靴下１Ａの側面図である。図７（Ａ）は、図５に示す靴下１Ａの上面を示し、図７（Ｂ）は、図５に示す靴下１Ａの下面を示す。
図５から図７に示す靴下１Ａは、図１と図２に示す靴下１とほぼ同じ構造を有しているので、同様の箇所には同じ符号を記して、その説明を援用する。図５と図６に示す靴下１Ａでは、図１と図２に示す靴下１と比べると、図１と図２に示すくぼみ部分１５０に代えて、穴（ホール）２００が形成されていることが異なる。
【００３５】
図５と図６と図７（Ｂ）に示すように、足指覆い部２は、足の裏側であって、足の指の付け根部位に沿った領域２Ｓに面する部分に、足本体の長さ方向に関して足裏側の伸縮力を弱めるための伸縮力調整部の一例として、穴（貫通穴）２００が設けられている。例えば、足指の付け根部分であって、当該箇所の足裏の横方向に沿って長い、長円または、長楕円形状になっている。穴２００の長手方向は、靴下１の幅方向に沿っている。
しかも、足の裏側であって、足の指の付け根部位に沿った領域２Ｓでは、穴２００を形成する周囲部分に、補強部分２０１が形成されている。これにより、補強部分２０１ＨＡ，穴２００を有する足指覆い部２を補強することができ、靴下１を繰り返して使用しても、足指覆い部２が穴２００付近で破損しにくいようになっている。
【００３６】
このように、図５から図７に示すように、足指覆い部２における足の裏側であって、足の指の付け根部位に沿った領域２Ｓには、穴２００が設けられているのは、次の理由からです。すなわち、足の裏側であって、足の指の付け根部位に沿った領域２Ｓには、穴２００が設けられていることで、足の裏側であって、足の指の付け根部位に沿った領域２Ｓでは引っ張り力が低減できる。このようにすることで、足Ｄの指の上側の部位に面する部分２Ｔの引っ張り力が、足の裏側であって、足の指の付け根部位に沿った領域２Ｓの引っ張り力に比べて上回ることになる。
足Ｄの指の上側の部位に面する部分２Ｔの引っ張り力が、足の裏側であって、足の指の付け根部位に沿った領域２Ｓの引っ張り力に比べて上回ることから、足指覆い部２は、足Ｄのつま先を、図５に示すＲ方向に持ち上げることができる。このように、靴下１の足指覆い部２が、足Ｄのつま先をＲ方向に持ち上げてつま先を上げた状態を保持できるので、妊婦や高齢者あるいは身体の不自由な人は、うまく踏み出して歩き出すことができ歩きやすくなり、転倒を防止できる。
【００３７】
本発明の実施形態の靴下１は、使用者の足の指を収容する足指覆い部と、足底とかかとを覆う足底及びかかと覆い部と、足甲を覆う足甲覆い部と、足首を覆う足首覆い部とを一体に有し足の圧迫を行う靴下であって、足指覆い部には、足の裏側であって、足の指の付け根部位に沿った領域に、くぼみ部分１５０が設けられている。これにより、足指覆い部には、足の裏側であって、足の指の付け根部位に沿った領域に、くぼみ部分が設けられているので、足の指の付け根部位に沿った領域は、足指覆い部の表側の部分に比べて、引っ張り力を小さくすることができ、つま先が上がり過ぎることを防止することができる。従って、使用者が横になっている状態から起き上がって歩き出そうとする時に、うまく踏み出して歩くことができるようにして、転倒を防止できる。
【００３８】
また、本発明の靴下１Ａは、使用者の足の指を収容する足指覆い部と、足底とかかとを覆う足底及びかかと覆い部と、足甲を覆う足甲覆い部と、足首を覆う足首覆い部とを一体に有し足の圧迫を行う靴下であって、足指覆い部には、足の裏側であって、足の指の付け根部位に沿った領域に、穴２００が設けられている。これにより、足指覆い部には、足の裏側であって、足の指の付け根部位に沿った領域に、穴が設けられているので、前記足の裏側であって、前記足の指の付け根部位に沿った領域は、足指覆い部の表側の部分に比べて、引っ張り力を小さくすることができ、つま先が上がり過ぎることを防止することができる。従って、使用者が横になっている状態から起き上がって歩き出そうとする時に、うまく踏み出して歩くことができるようにして、転倒を防止できる。
足底及びかかと覆い部の長さと足甲覆い部の長さは、タック編みでつまんで調整されているので、足底及びかかと覆い部の長さと足甲覆い部の長さの違いを調整することができる。
【００３９】
（第３実施形態）
図８は、本発明の靴下の好ましい実施形態の使用状態例を示す斜視図であり、図８では、靴下１００が使用者の足Ｄに装着された状態を示している。
図９は、図８に示す靴下１００の側面図である。
図１０（Ａ）は、図８に示す靴下１００の上面を示し、図１０（Ｂ）は、図８に示す靴下１００の下面を示しているが、図１０では、靴下１００には足Ｄが挿入されていない状態を示している。図８から図１０に示すこの靴下１００は、右足用と左足用のいずれにも兼用できる。
【００４０】
図８から図１０に示す靴下１００は、ソックスタイプの靴下であり、靴下１００の使用者としては、好ましくは妊婦や高齢者である。使用者の足の血流が悪いと、足Ｄのむくみや浮腫、血栓が生じやすいことから、これらのむくみや浮腫、そして血栓を防止するために、この靴下１００は、適度な圧迫力が設定されている。このように圧迫力が設定されている靴下１００は、使用者の足の血流を改善することができ、しかも歩行時の転倒を防止できる構造を有する。
【００４１】
この靴下１００は、装着者の足首や足そのものを締め付ける圧迫力を有してはいるが、妊婦や高齢者等の使用者にとって履き易く、靴下１００を脱ぎ易くしており、使用者における靴下１００の装着時の身体的な負担が小さい。従って、靴下１００は、妊婦や高齢者等の使用者が、履き易く脱ぎやすくして身体的な負担を少なくすることができる。
図８に示すように、靴下１００は、使用者の足Ｄの全体と足首を覆う編地からなる。靴下１００の編地は、例えば好ましくは、表側は、５３０デニール程度の繊維径の綿製、裏側（肌側）は、１６０デニール程度の繊維径で、弾性糸として機能する、ナイロンカバーがされたポリウレタン製である。この素材は、５３０デニールを越えると伸縮性がほぼなくなり、１６０デニールより小さいと強度が低下する。
【００４２】
図８と図９に示す靴下１００は、素肌への刺激が少ないものとなるように考慮されている。この靴下１００では、先端の足指覆い部５２と、下側、すなわち足裏側の足底、及びかかと等を覆う、覆い部５３とを含んでいる。また、靴下１００は、上側の足甲覆い部５４と、足首覆い部５５と、後覆い部分５７とが一体的になるように編成されている。靴下１００は、全体的に、少なくとも靴下に求められる伸縮性を有している。
【００４３】
図８と図９に示すように、足指覆い部５２は、使用者の足先の第１足趾（親指、母趾）から第５足趾（小指）を一緒に収容する袋状の部分である。足底及びかかと覆い部５３は、使用者の足の足底とかかととを覆う部分である。
足甲覆い部５４は、使用者の足の甲部分を覆う部分である。足首覆い部５５は、足Ｄを通すための履き口部開口部５６を有しており、足首覆い部５５は、特に柔軟な布地でなり、足首の上方を筒状にソフトに締め付けて覆う部分である。この履き口部開口部５６は、使用者の足Ｄを挿入するための開口部分である。
【００４４】
まず、図８と図９と図１０を参照して、靴下１００の足指覆い部５２について説明する。
図８と図９に示すように、足指覆い部５２は、足の裏側において、その先端部５２Ｇが袋状になっており、足の第１足趾（親指）から第５足趾を収容する。この足指覆い部５２は、足の指の付け根部位２Ｓに沿った領域に、穴（ホール）１００が設けられている。この穴３００の形状は、図１０（Ｂ）に示すように、例えば、足指の付け根部分であって、当該箇所の足裏の横方向に沿って長い、長円または、長楕円形状になっている。穴３００の長手方向は、靴下１００の幅方向に沿っている。
しかも、足裏の指の付け根部位２Ｓに面する部分では、穴３００を形成する周囲部分に、補強部分３０１が形成されている。これにより、穴３００を有する足指覆い部５２を補強することができ、靴下１００を繰り返して使用しても、足指覆い部５２が穴３００付近で破損しにくいようになっている。
【００４５】
このように、図８と図９に示すように、足指覆い部５２における足の指の付け根部位に面する部分５２Ｓには、穴３００が設けられているのは、次の理由からである。すなわち、足指覆い部５２における足の指の付け根部位に面する部分５２Ｓには、穴３００が設けられていることで、足の指の付け根部位に面する部分５２Ｓでは引っ張り力が低減できる。このようにすることで、足の指の上側の部位に面する部分２５２Ｔの引っ張り力が、足の指の付け根部位に沿った領域２Ｓの引っ張り力に比べて上回ることになる。
足の指の上側の部位に面する部分２５２Ｔの引っ張り力が、足の指の付け根部位に面する部分５２Ｓの引っ張り力に比べて上回ることから、足指覆い部５２は、足Ｄのつま先を、図８に示すＲ方向に持ち上げることができるようになっている。このように、靴下１００の足指覆い部５２が、足Ｄのつま先をＲ方向に持ち上げてつま先を上げた状態を保持できるので、妊婦や高齢者は、うまく踏み出して歩き出すことができ歩きやすくなり、転倒を防止できる。
【００４６】
また、図８と図９に示すように、足指覆い部５２においては、好ましくは足Ｄの指の上側の部位に面する部分２５２Ｔには、内部に開口した袋状のくぼみ部分１３０が設けられている。このくぼみ部分１３０の位置は、穴３００の位置のほぼ真上である。くぼみ部分１３０は、当該領域にダーツを設けることにより、少なくとも使用者の指の先端部分を収容できる程度の内部空間を有するようにされている。
くぼみ部分１３０が、足Ｄの指の上側の部位に面する部分２５２Ｔに設けられているのは、次の理由からである。上述したように、指覆い部２における足の指の付け根部位に面する部分５２Ｓには、穴３００が設けられていることにより、足Ｄのつま先が、場合によってはＲ方向に強く持ち上げられてしまう場合がある。このように足Ｄのつま先がＲ方向に過度に強く持ち上げられてしまうことを抑制するために、図９と図１０（Ａ）に示すようにくぼみ部分１３０は、外側に拡がるように袋状に余裕を持たせた形状に形成することで、足Ｄの指先の上側領域には余裕（遊び）を持たせることができることから、足Ｄのつま先の過度なＲ方向への持ち上げ力を低減して、歩き易きしている。
【００４７】
次に、図８と図９と図１０（Ｂ）を参照して、靴下１００の足底及びかかと覆い部５３について説明する。
図８と図９に示すように、足底及びかかと覆い部５３は、足指覆い部５２の裏端部５２Ｈから、後覆い部分５７にかけて連続して編成されている。足底及びかかと覆い部５３は、足底部分５３Ａとかかと部分５３Ｂを有している。足底部分５３Ａは足底を覆い、かかと部分５３Ｂはかかとを覆う。足指覆い部５２と足底及びかかと覆い部５３は、例えば厚みのある生地でソフトな感触をえられるようにされた構造であり、好ましくは、例えば、あぜ編みにより編成されている。このように、足指覆い部５２と足底及びかかと覆い部５３が、あぜ編みにより編成されていることにより、足裏（足底）とかかとを収容して覆う際に、十分に柔軟性をもって使用者が楽にこの部分を伸ばすことができ、しかも足裏とかかとを保温することができる。
【００４８】
一方、図８と図１０（Ａ）に示す靴下１００の足甲覆い部５４は、足指覆い部５２の表端部５２Ｋから足首覆い部５５の間において、連続して編成されている。この足甲覆い部５４は、足底及びかかと覆い部５３と足指覆い部５２のあぜ編みに比べて伸びにくく、つまり、引張力が強くなるように、好ましくは、例えばタック（重ね）編みにより編成されている。すなわち、足甲覆い部５４の編成部分の引張力は、足指覆い部５２と足底及びかかと覆い部５３の編成部分の引張力に比べて大きく（強く）なるように設定されている。これにより、足には適切な圧迫力を加えることができる。
このように、足甲覆い部５４は、足底及びかかと覆い部５３とは異なり、タック（重ね）編みにより編成されているので、使用者が足を靴下１００内に収容した際に、足甲覆い部５４の領域を強く引くことで、図８に示すように、足指覆い部５２内の第１足趾から第５足趾を、強い力で図８に示すＲ方向（上方向）に引き上げることができる機能を有する。
【００４９】
そして、すでに説明したように、足指覆い部５２における足の指の付け根部位に面する部分５２Ｓには、穴３００が設けられているので、足の指の上側の部位に面する部分２５２Ｔの引っ張り力が、足の指の付け根部位に面する部分５２Ｓの引っ張り力に比べて上回ることから、足指覆い部５２は、足Ｄのつま先を、図８に示すＲ方向に持ち上げることができるようになっている。
以上のことから、図８から図１０に示す靴下１００は、使用者の第１足趾から第５足趾の先端（つま先）はＲ方向（上向き）に引き上げることができるので、妊婦や高齢者や身体の不自由な人であっても、横になった状態から起き上がって歩き出そうとする場合や、椅子に座った状態から立ち上がって歩き出そうとする場合に、使用者が容易に歩き出すことができるので、使用者の転倒を防止することができる。
【００５０】
ただし、上述したように、足指覆い部５２においては、足Ｄのつま先が、Ｒ方向に強く持ち上げられてしまうことを抑制するために、図９と図１０（Ａ）に示すようにくぼみ部分１３０が、外側に拡がるように袋状に余裕を持たせた形状になっていることで、足Ｄの指先の上側領域に余裕（遊び）を持たせることから、足Ｄのつま先の過度なＲ方向への持ち上げ力を低減して、歩き易きしている。
【００５１】
次に、靴下１００の後覆い部分５７を説明する。
図８と図１０に示すように、靴下１００の後覆い部分５７は、足底及びかかと覆い部５３と、足甲覆い部５４と、足首覆い部５５の間に編成されている。後覆い部分５７は、左右位置に配置されたあぜ編み部５７Ａ，５７Ａと、これらのあぜ編み部５７Ａ，５７Ａの間に配置されたタック編み部５７Ｂを有する。各あぜ編み部５７Ａは、足甲覆い部５４とタック編み部５７Ｂとの間に編成されている。靴下１００に足Ｄを収容する際に、靴下１００は、あぜ編み部５７Ａ，５７Ａにより、十分に伸縮性，柔軟性をもって伸ばすことができ、タック編み部５７Ｂは、妊婦や高齢者の足Ｄに対して靴下１００をしっかりと装着することができる機能を有する。このため、装着後に靴下１００がズレ落ちることなくしっかり固定できるようになる。
【００５２】
次に、足首覆い部５５について説明する。
図８と図１０に示すように、足首覆い部５５は、あぜ編み部５８と、前側の伸縮編み部５９と後側の伸縮編み部６０と、履き口部６１を有している。前側の伸縮編み部５９と後側の伸縮編み部６０は、例えば比較的弱い引っ張り力を有するタック編みであり、前側の伸縮編み部５９と後側の伸縮編み部６０は、すでに説明した足甲覆い部５４のタック編みに比べて、縦方向と横方向の引っ張り力は弱く設定されている。前側の伸縮編み部５９と後側の伸縮編み部６０は、あぜ編み部５８に比べて、縦方向（靴下１００の長さ方向）と横方向（靴下１００の幅方向）の伸長度合が大きい。
【００５３】
これにより、使用者が靴下１００を履く際、すなわち、靴下１００に足Ｄを収容する際に、靴下１００の前側の伸縮編み部５９と後側の伸縮編み部６０は、伸縮性，柔軟性をもって伸ばすことができ、タック編み部５７Ｂは、妊婦や高齢者等の人が、容易に靴下１００をしっかりと装着することができる。このため、装着後に靴下１００がズレ落ちることなくしっかり固定できるようになる。
履き口部６１は、特に柔軟な布地でなり、足首の上方を筒状にソフトに締め付けて覆う部分である。履き口部６１の上部には、履き口部開口部５６が形成されており、この履き口部開口部５６は、使用者の足を挿入するための開口部分である。足首覆い部５５は、足首の周りでしっかり足首周りを引き締めつつ、その上の部分は履き口部開口部５６付近でソフトに覆い、使用者に着用中の不快な感触や負担をかけないで、かつズレ落ちることがない。
【００５４】
次に、上述した本発明の実施形態の靴下１００の使用例を、図８から図８１を参照して説明する。図８１は、靴下１００の使用状態例を示す図である。
使用者は、図９に示す靴下１００の履き口部６１を指で持って、図８１に示す足Ｄのつま先Ｖを靴下１００の履き口部開口部５６に入れて、靴下１００をＭ方向に引き上げる。これにより、図８と図８１に示すように、靴下１００は、足Ｄを覆う。
このようにして、靴下１００を履いた状態では、足指覆い部５２は、足Ｄのつま先Ｖを収容することで、使用者のつま先Ｖの第１足趾（親指、母趾）から第５足趾（小指）を一緒に収容する。足底及びかかと覆い部５３は、使用者の足の足底とかかとを覆う。足甲覆い部５４は、使用者の足の甲部分を覆う。足首覆い部５５は、足首の上方を筒状にソフトに締め付けて覆う。
【００５５】
使用者が靴下１００を履くと、足指覆い部５２における足の指の付け根部位に面する部分５２Ｓには、穴３００が設けられていることで、足の指の付け根部位に面する部分５２Ｓでは引っ張り力が低減できる。このため、足の指の上側の部位に面する部分５２５２Ｔの引っ張り力が、足の指の付け根部位に面する部分５２Ｓの引っ張り力に比べて上回る。
このように、足の指の上側の部位に面する部分５２５２Ｔの引っ張り力が、足の指の付け根部位に面する部分５２Ｓの引っ張り力に比べて上回ることから、足指覆い部５２は、足Ｄのつま先Ｖを、Ｒ方向に持ち上げることができる。これにより、靴下１００はつま先Ｖを図８と図８１に示すＲ方向に持ち上げて、しかもこの持ち上げた状態を保持できるので、妊婦や高齢者は歩き出し易くなり、転倒を防止できる。
【００５６】
上述したように、指覆い部２における足の指の付け根部位に面する部分５２Ｓには、穴３００が設けられていることにより、足Ｄのつま先が、Ｒ方向に強く持ち上げられてしまう場合がある。
そこで、足指覆い部５２のくぼみ部分１３０が、穴３００のほぼ真上の位置に設けられている。図９と図１０（Ａ）に示すように、くぼみ部分１３０は、外側に拡がるように袋状に余裕を持たせた形状に形成することで、足Ｄの指先の上側領域に余裕（遊び）を持たせることから、足Ｄのつま先の過度なＲ方向への持ち上げ力を低減することができるので、使用者はより歩き易くなる。
【００５７】
なお、穴３００を形成する周囲部分には、補強部分３０１が形成されている。これにより、穴３００を有する足指覆い部５２を補強することができ、靴下１００を繰り返して使用しても、足指覆い部５２が穴３００付近で破損しにくい。従って、靴下１００の裏側に穴３００が形成されているにもかかわらず、靴下１００の使用可能期間が長くなる。
【００５８】
本発明の実施形態の靴下１００は、使用者の足Ｄの指を収容する足指覆い部５２と、足底とかかとを覆う足底及びかかと覆い部５３と、足甲を覆う足甲覆い部５４と、足首を覆う足首覆い部５５とを一体に有し前記足の圧迫を行う靴下であり、足指覆い部５２には、足Ｄの指の付け根部位に面する部分に、穴３００が設けられている。
【００５９】
このように、足指覆い部５２には、足Ｄの指の付け根部位に面する部分に、穴３００が設けられているので、靴下１００は足の圧迫だけでなく、つま先Ｖを上げることで妊婦は高齢者等の使用者の血流を改善しながら、使用者の転倒を予防できる。すなわち、足の指の付け根部位に面する部分５２Ｓには、穴３００が形成されていることから、つま先Ｖの引っ張り力が低減できるので、使用者はつま先Ｖを上げることができ、妊婦や高齢者等の使用者が、つま先Ｖを上げることで血流を改善できる。使用者はつま先Ｖを上げることができるのでうまく踏み出して歩き出すことができ、使用者の転倒を予防できる。
【００６０】
また、足指覆い部５２には、足Ｄの指の上側の部位に面する部分に、くぼみ部分１３０が設けられている。これにより、足の指の付け根部位に面する部分５２Ｓには、穴３００が設けられていることにより、足のつま先Ｖが強く持ち上げられてしまう場合がある。しかし、このくぼみ部分１３０が設けられていることで指の周りに遊び部分（余裕部分）ができるので、足のつま先Ｖが強く持ち上げられてしまうことを抑制することができ、足のつま先Ｖが過度に上がり過ぎることを防止して、より歩き易くすることができる。
【００６１】
穴３００を形成する周囲部分には、補強部分３０１が形成されている。これにより、足の指の付け根部位に面する部分に、穴が設けられていても、穴３００を形成する周囲部分には、補強部分３０１が形成されているので、足指覆い部５２が穴３００付近で破損しにくい。
【００６２】
ところで、本発明は上記実施形態に限定されず、本発明は様々な修正と変更が可能であり、特許請求の範囲に記載された範囲で種々の変形が可能である。
本発明は、上述の実施形態の一部の構成は省略することができるし、言及しない他の構成と適宜組み合わせて実施することができる。靴下１００の材質は綿製に限らず、例えば綿、ナイロン（登録商標）、ポリウレタンの混紡等であっても良い。
【符号の説明】
【００６３】
１，１Ａ・・・靴下、２・・・足指覆い部、３・・・足底及びかかと覆い部、４・・・足甲覆い部、５・・・足首覆い部、６・・・履き口部開口部、１５０・・・くぼみ部分、２００・・・穴（ホール）、２Ｓ・・・足の裏側であって足の指の付け根部位に沿った領域、Ｄ・・・使用者の足、１００・・・靴下、５２・・・足指覆い部、５３・・・足底及びかかと覆い部、５４・・・足甲覆い部、５５・・・足首覆い部、５６・・・履き口部開口部、１００・・・穴、１０１・・・補強部分、１３０・・・くぼみ部分、Ｄ・・・使用者の足
【図１】
2015052181.tif 000003
【図２】
2015052181.tif 000004
【図３】
2015052181.tif 000005
【図４】
2015052181.tif 000006
【図５】
2015052181.tif 000007
【図６】
2015052181.tif 000008
【図７】
2015052181.tif 000009
【図８】
2015052181.tif 000010
【図９】
2015052181.tif 000011
【図１０】
2015052181.tif 000012
【図１１】
2015052181.tif 000013